(57)【要約】【課題】  本発明は著作権管理方法及びシステムに関し、デジタル万引きに対し、正当な著作権の対価の支払いを行なわせることができる著作権官吏方法及びシステムを提供することを目的としている。【解決手段】  撮影起動指示を受けた時、外部情報を撮影する撮影手段３と、撮影したデータを記憶する撮影情報記憶手段５と、ＩＣタグ情報を読みとるＩＣタグ読取手段４と、読みとられたＩＣタグ情報が著作権情報かどうかを分析するＩＣタグ情報分析手段６と、ＩＣタグ情報が著作権情報の場合は、著作権情報の一部又は全てを著作権使用履歴情報として記憶する著作権使用履歴記憶手段９と、著作権使用履歴情報を送信する通信手段１１とを具備する携帯通信装置１００と、該携帯通信装置１００内の通信手段１１からの使用料情報を受けて著作権使用料を精算する使用料精算センター４０とで構成される。【選択図】    図２
2005310033.tif 000002
【特許請求の範囲】
【請求項１】
本、雑誌等に著作権情報を含むＩＣタグを装着し（ステップ１）、
カメラ機能を備える携帯端末にＩＣタグ情報を読み込むＩＣタグ読取手段を内蔵させ（ステップ２）、
カメラ撮影時に前記ＩＣタグ読取手段を起動させ、該ＩＣタグ読取手段が著作権情報を受信した時は著作権対象物を撮影したものとして履歴に残し（ステップ３）、
ネットワーク接続時にその情報を使用料精算センターに送信する（ステップ４）、
ことを特徴とする著作権管理方法。
【請求項２】
外部からの撮影起動指示を撮影手段に伝える撮影起動手段と、
撮影起動指示を受けた時、外部情報を撮影する撮影手段と、
撮影したデータを記憶する撮影情報記憶手段と、
ＩＣタグ情報を読みとるＩＣタグ読取手段と、
読みとられたＩＣタグ情報が著作権情報かどうかを分析するＩＣタグ情報分析手段と、
ＩＣタグ情報が著作権情報の場合は、著作権情報の一部又は全てを著作権使用履歴情報として記憶する著作権使用履歴記憶手段と、
著作権使用履歴情報を外部に送信する通信手段とを具備する携帯通信装置と、
該携帯通信装置内の通信手段からの著作権使用履歴情報を受けて著作権使用料を精算する使用料精算センターと、
で構成される著作権管理システム。
【請求項３】
前記ＩＣタグ内に記憶される情報には、販売書店情報を含むか又は別途ＩＣタグを対象物に貼り、撮影時に著作権情報と共に販売書店情報が読み込まれた場合は、著作権使用履歴情報として販売書店情報も前記撮影情報記憶手段に記憶することを特徴とする請求項２記載の著作権管理システム。
【請求項４】
前記撮影起動手段とは別に、外部からの指示によりＩＣタグ読取手段を起動するＩＣタグ読取起動手段と、ＩＣタグ読取手段により読み取られた情報が著作権情報であることをＩＣタグ情報分析手段が確認した時、装置の外部からその旨が分かる著作権警告表示手段とを更に設けたことを特徴とする請求項２記載の著作権管理システム。
【請求項５】
前記撮影起動手段を起動し、同時にＩＣタグ読取手段により読み取った情報が著作権情報であった場合、著作物を撮影した回数を計数する著作物撮影計数手段と、該著作物撮影計数手段の出力を記憶・表示する著作物記憶数表示手段を更に設けることを特徴とする請求項２記載の著作権管理システム。
【請求項６】
前記撮影情報記憶手段に記憶された撮影物の消去時、著作権使用履歴記憶手段内の対応する履歴情報を削除することを特徴とする請求項２記載の著作権管理システム。
【請求項７】
前記携帯通信装置が通信手段を介してネットワークと接続されている時に、電話番号と共に著作権使用履歴情報を使用料精算センターに送信し、使用料精算センターは携帯通信装置から送信された著作権使用履歴情報を受信し、その情報から著作権使用料計算手段により著作権使用料を計算し、著作権使用料精算手段により携帯通信装置の通信契約のアカウントに対応して著作権使用料をチャージすることを特徴とする請求項２記載の著作権管理システム。
【発明の詳細な説明】
【技術分野】
【０００１】
本発明は著作権管理方法及びシステムに関する。
【背景技術】
【０００２】
従来の著作権管理システムとしては、著作権管理システムがコンテンツＩＤをキーに著作権データベースを参照し、該当するコンテンツ情報を取得し、該当する権利者のアドレスを抽出し、契約仲介システムへ供給し、また、契約仲介システムは、著作権管理システムから入手した権利者のアドレスに従って、権利者に対して権利利用の申請がある旨を通知するシステムが知られている（例えば特許文献１参照）。
【０００３】
また、著作権のセキュリティに関する技術として、予め再生を許可された再生装置の台数に応じて、特定の再生装置を選択し、前記選択された特定の再生装置へ、暗号化されたコンテンツを復号化するための復号鍵等の復号化情報を送る技術が知られている（例えば特許文献２参照）。また、複数のライセンスデータを暗号化するための複数の鍵データをまとめて暗号化したデータ及び暗号化するのに用いた鍵データをまとめて暗号化したデータを情報処理装置に格納する技術が知られている（例えば特許文献３参照）参照。
【特許文献１】特開２００４−１１０３６０号公報（第５頁〜第７頁、図１）
【特許文献２】特開２００３−３２３３５１号公報（第４頁、図１）
【特許文献３】特開２００３−２１６５００号公報（第３、第４頁、図１）
【発明の開示】
【発明が解決しようとする課題】
【０００４】
前述した従来の著作権管理システムは、権利利用者に権利利用の申請があるかを判断したり、著作権のセキュリティを確保するための技術に関するものが多く、本願発明のように、携帯通信端末による撮影時の著作権管理に関する技術はいまだ存在していなかった。
【０００５】
現在、書店では店頭において雑誌等の必要部分のみをカメラ付き携帯により撮影し、雑誌等を購入せずに、購入したと同じように目的を達成してしまうといういわゆる「デジタル万引き」の被害が問題となっている。デジタル万引きは著作権侵害であり、結果として著作権使用量の未払い、雑誌販売額の不当な減少につながっている。
【０００６】
本発明はこのような課題に鑑みてなされたものであって、「デジタル万引き」に対し、正当な著作権の対価の支払いを行なわせることができる著作権官吏方法及びシステムを提供することを目的としている。
【課題を解決するための手段】
【０００７】
（１）請求項１記載の発明は、以下の通りである。本、雑誌等に著作権情報を含むＩＣタグを装着し（ステップ１）、カメラ機能を備える携帯端末にＩＣタグ情報を読み込むＩＣタ読取手段を内蔵させ（ステップ２）、カメラ撮影時に前記ＩＣタグ読取手段を起動させ、該ＩＣタグ読取手段が著作権情報を受信した時は著作権対象物を撮影したものとして履歴に残し（ステップ３）、ネットワーク接続時にその情報を使用料精算センターに送信する（ステップ４）ことを特徴とする。
【０００８】
（２）請求項２記載の発明は、外部からの撮影起動指示を撮影手段に伝える撮影起動手段と、撮影起動指示を受けた時、外部情報を撮影する撮影手段と、撮影したデータを記憶する撮影情報記憶手段と、ＩＣタグ情報を読みとるＩＣタグ読取手段と、読みとられたＩＣタグ情報が著作権情報かどうかを分析するＩＣタグ情報分析手段と、ＩＣタグ情報が著作権情報の場合は、著作権情報の一部又は全てを著作権使用履歴情報として記憶する著作権使用履歴記憶手段と、著作権使用履歴情報を外部に送信する通信手段とを具備する携帯通信装置と、該携帯通信装置内の通信手段からの使用料情報を受けて著作権使用料を精算する使用料精算センターとで構成されることを特徴とする。
【０００９】
（３）請求項３記載の発明は、前記ＩＣタグ内に記憶される情報には、販売書店情報を含むか又は別途ＩＣタグを対象物に貼り、撮影時に著作権情報と共に販売書店情報が読み込まれた場合は、著作権使用履歴情報として販売書店情報も前記撮影情報記憶手段に記憶することを特徴とする。
【００１０】
（４）請求項４記載の発明は、前記撮影起動手段とは別に、外部からの指示によりＩＣタグ読取手段を起動するＩＣタグ読取起動手段と、ＩＣタグ読取手段により読み取られた情報が著作権情報であることをＩＣタグ情報分析手段が確認した時、装置の外部からその旨が分かる著作権警告表示手段とを更に設けたことを特徴とする。
【００１１】
（５）請求項５記載の発明は、前記撮影起動手段を起動し、同時にＩＣタグ読取手段により読み取った情報が著作権情報であった場合、著作物を撮影した回数を計数する著作物撮影計数手段と、該著作物撮影計数手段の出力受けて記憶・表示する著作物記憶数表示手段を更に設けることを特徴とする。
【００１２】
（６）請求項６記載の発明は、前記撮影情報記憶手段に記憶された撮影物の消去時、著作権使用履歴記憶手段内の対応する履歴情報を削除することを特徴とする。
（７）請求項７記載の発明は、前記携帯通信装置が通信手段を介してネットワークと接続されている時に、電話番号と共に著作権使用履歴情報を使用料精算センターに送信し、使用料精算センターは携帯通信装置から送信された著作権使用履歴情報を受信し、その情報から著作権使用料計算手段により著作権使用料を計算し、著作権使用料精算手段により携帯通信装置の通信契約のアカウントに対応して著作権使用料をチャージすることを特徴とする。
【発明の効果】
【００１３】
（１）請求項１記載の発明によれば、携帯通信装置のカメラ機能を利用して本、雑誌等を撮影した場合に、ＩＣタグ情報を読み込み、読み込んだ著作権情報を使用料精算センターに送信するので、デジタル万引きに対し、正当な著作権の対価の支払いを行なわせることができる。
【００１４】
（２）請求項２記載の発明によれば、撮影手段により外部情報を撮影した場合、ＩＣタグ読取手段がＩＣタグ情報を読み取り、著作権情報の一部又は全てを著作権使用履歴記憶手段に記憶すると共に、著作権の使用履歴情報を使用料精算センターに通知することで、ディジタル万引きに対し、正当な著作権の対価の支払いを行なわせることができる。
【００１５】
（３）請求項３記載の発明によれば、ＩＣタグ内に販売書店情報を含めることができるので、販売書店情報も著作権使用料履歴情報に記憶させることができる。
（４）請求項４記載の発明によれば、ＩＣタグの情報を読み取ったら、その情報が著作権情報であった場合に、表示手段に警告表示することができる。
【００１６】
（５）請求項５記載の発明によれば、ＩＣタグ読取手段により読み取った情報が著作権情報であった場合に、著作物を撮影した回数を著作物撮影計数手段で計数し、その内容を表示手段に表示させることができる。
【００１７】
（６）請求項６記載の発明によれば、前記撮影情報記憶手段に記憶された撮影物の消去を行なう場合に、著作権使用履歴記憶手段内の対応する履歴情報を削除することで、撮影情報記憶手段と著作権使用履歴記憶手段の内容の対応をとることができる。
【００１８】
（７）請求項７記載の発明によれば、著作権使用履歴情報を使用料精算センターに送信することで、著作権使用料計算手段により計算された使用料を通信契約のアカウントに対応して著作権使用料をチャージすることができる。
【発明を実施するための最良の形態】
【００１９】
以下、図面を参照して本発明の実施の形態例を詳細に説明する。図１は本発明に係る携帯通信装置の一実施の形態例を示すブロック図である。図において、１００が著作権管理機能を有する携帯通信装置である。２０は著作物としての本であり、図に示す例では開かれたページに日本地図が印刷されている。２１は本内に埋め込まれたＩＣタグである。該ＩＣタグ２１には、ＩＣタグ情報（例えば、タグ情報、著作権情報等）が記憶されている。３０はネットワークであり、携帯通信装置１００と接続されている。
【００２０】
携帯通信装置１００において、１は撮影を起動する撮影起動手段、２はＩＣタグ読み取り起動を行なうＩＣタグ読取起動手段、３は外部情報を撮影する撮影手段、４はＩＣタグ２１に記憶されている内容を読み取るＩＣタグ読取手段、５は撮影手段３で撮影した情報を記憶する撮影情報記憶手段、６はＩＣタグ読取手段４により読み取ったＩＣタグ情報を分析するＩＣタグ情報分析手段である。撮影起動手段１には、外部より撮影起動指示がなされ、ＩＣタグ読取起動手段２には外部よりＩＣタグ読取指示がなされる。
【００２１】
７は本２０を撮影した回数を記憶する著作物撮影計数手段、８は該著作物撮影計数手段７の内容を表示する著作物記憶数表示手段、９はＩＣタグ情報分析手段６と接続され、著作権使用履歴を記憶する著作権使用履歴記憶手段、１０はＩＣタグ情報分析手段６と接続され、著作権警告情報を表示する著作権警告表示手段、１１は撮影情報記憶手段５及び著作権使用履歴記憶手段９と接続され、ネットワーク３０を介して情報を通信する通信手段である。ネットワーク３０は、後述する使用料精算センターと接続される。
【００２２】
図３は本発明システムの一実施の形態例を示すブロック図である。図２と同一のものは、同一の符号を付して示す。１００は携帯通信装置であり、その内部構成は図２に示す通りである。４０はネットワーク３０を介して携帯通信装置１００と接続される使用料精算センターである。該使用料精算センター４０としては、例えば電話会社がこれに相当する。
【００２３】
使用料精算センター４０において、４１はネットワーク３０を介して携帯通信装置１００と情報のやりとりを行なう通信手段、４２は携帯通信装置１００からの著作権使用履歴情報を受信して著作権使用料を計算する著作権使用料計算手段、４３は著作権使用料計算手段４２で計算された著作権使用料を基に著作権使用料の精算を行なう著作権使用料精算手段、４４はアカウント情報がチャージされるアカウント情報チャージデータファイルである。著作権使用履歴情報は、図９に示すように、使用日時と著作権情報とから構成されるものである。このように構成されたシステムの動作を説明すれば、以下の通りである。
【００２４】
図４は撮影時の著作物使用記憶を示すフローチャートである。先ず、撮影起動手段１に撮影起動指示がなされる（Ｓ１）。具体的には、携帯通信装置に付属するカメラ機構の操作ボタンから撮影起動指示がなされる。この結果、本２０の所定の頁の情報が（図２の場合には日本地図）撮影手段３により撮影処理がなされる（Ｓ２）。撮影された情報は、撮影情報記憶手段５に記憶される（Ｓ３）。
【００２５】
一方、ステップＳ１により撮影起動指示がなされると、ＩＣタグ読取手段４によりＩＣタグ情報の読取処理がなされる（Ｓ４）。ＩＣタグ情報は、図８に示すように、タグ情報と著作権情報より構成される。ＩＣタグ読取手段４が起動すると、ＩＣタグ２１に磁束が発生し、電流が流れる。このことにより、ＩＣタグ２１は回路動作が可能となり、ＩＣタグ情報を発信する。ＩＣタグ読取手段４は、このＩＣタグ情報を受信する。読み取ったＩＣタグ情報は、ＩＣタグ情報分析手段６に送られる。該ＩＣタグ情報分析手段６は読み取ったＩＣタグ情報を分析する（Ｓ５）。
【００２６】
ＩＣタグ情報分析手段６はＩＣタグ情報が著作権であるかどうかチェックする（Ｓ６）。著作権でない場合には処理は終了する。著作権である場合には、著作権情報を記憶する（Ｓ７）。具体的には、著作物撮影計数手段７は著作物を読み取った回数を著作物記憶数表示手段８に記憶する。同時に、著作物記憶数を表示手段（図示せず）に表示させる。一方、著作権使用履歴記憶手段９に使用履歴が記憶される。また、著作権警告表示手段１０は著作権の警告・表示を行なう。記憶された著作権使用履歴情報は、通信手段１１を介してネットワーク３０に送出され、使用料精算センター４０に通知される。使用料精算センター４０では、著作権使用履歴情報に応じて著作権使用料を計算し、アカウント情報チャージデータファイル４４に記憶する。この実施の形態例によれば、携帯通信装置のカメラ機能を利用して、本、雑誌等を撮影した場合に、ＩＣタグ情報を読み込み、読み込んだ著作権情報を使用料精算センターに送信するので、デジタル万引きに対し、正当な著作権の対価の支払いを行わせることができる。
【００２７】
図５は著作権使用履歴の送信処理を示すフローチャートである。携帯通信装置１００は、ネットワークに接続されているかどうかをチェックする（Ｓ１）。ネットワークに接続されていない場合には処理は終了する。ネットワークに接続されている場合、携帯通信装置１００はデータ通信モードであるかどうかチェックする（Ｓ２）。データ通信モードでない場合には、処理は終了する。
【００２８】
データ通信モードである場合、記憶されている情報が著作物撮影履歴であるかどうかチェックする（Ｓ３）。著作物撮影履歴でない場合には、処理は終了する。著作物撮影履歴である場合には、予め設定された所に著作物撮影履歴情報を送信する（Ｓ４）。ここでは、予め設定された所として、図３に示すように使用料精算センター４０が考えられる。
【００２９】
この実施の形態例によれば、撮影手段３により外部情報を撮影した場合、ＩＣタグ読取手段４がＩＣタグ情報を読み取り、著作権情報の一部又は全てを著作権使用履歴記憶手段９に記憶すると共に、著作権の使用履歴情報を使用料精算センター４０に通知することで、ディジタル万引きに対し、正当な著作権の対価の支払いを行なわせることができる。
【００３０】
図６は著作権情報確認処理を示すフローチャートである。先ず、ＩＣタグ読取起動手段２に対して読取起動指示を与える（Ｓ１）。この読取起動指示を受けて、ＩＣタグ読取手段４はＩＣタグ２１の情報の読取処理を行なう（Ｓ２）。ＩＣタグ読取手段４で読み取られた情報は、ＩＣタグ情報分析手段６に与えられる。該ＩＣタグ情報分析手段６は、ＩＣタグ情報を分析する（Ｓ３）。
【００３１】
分析は、読み取られた情報が著作権であるかどうかチェックするものである（Ｓ４）。著作権でない場合には処理は終了する。著作権である場合には、著作権警告表示手段１０により、著作権警告表示を行なう（Ｓ５）。
【００３２】
この実施の形態例によれば、ＩＣタグ２１の情報を読み取ったら、その情報が著作権であった場合に、表示手段に警告表示することができる。
図７は著作権管理センターでの著作権使用料の精算処理を示すフローチャートである。使用料精算センター４０では、通信手段４１が著作権使用履歴情報をネットワーク３０から受信する（Ｓ１）。次に、著作権使用料計算手段４２は、著作権使用料の計算を行なう（Ｓ２）。次に、著作権使用料計算手段４２は、送信した携帯端末に対応するアカウント情報を読み出す（Ｓ３）。そして、対応するアカウントに精算額を反映する（Ｓ４）。具体的には、アカウント情報チャージデータファイル４４の該当するアカウントに対応した著作権金額記憶領域に著作権使用料額をチャージする。
【００３３】
図８は著作物のＩＣタグ情報の第１の例を示す図である。ＩＣタグ情報は、図に示すようにタグ情報と著作権情報よりなる。著作権情報は、例えば関東地図と出版社よりなる。図９は著作権使用履歴情報の第１の例を示す図である。図に示すように、使用日時と著作権情報とからなる。著作権情報は、例えば関東地図と出版社からなる。図１０は著作物のＩＣタグ情報の第２の例を示す図である。図８の例に比較して、販売店情報（△△書店）が追加されている。図１１は著作権使用履歴情報の第２の例を示す図である。この例も、販売店情報（△△書店）が追加されている。
【００３４】
このように、この実施の形態例によれば、ＩＣタグ内に販売書店情報を含めることができるので、販売書店情報も著作権使用料履歴情報に記憶させることができる。
本発明によれば、撮影起動手段１を起動し、同時にＩＣタグ読取手段４により読み取った情報が著作権情報であった場合、著作物を撮影した回数を計数する著作物撮影計数手段７と著作物記憶数表示手段８を設けることができる。このようにすれば、ＩＣタグ読取手段４により読み取った情報が著作権情報であった場合に、著作物を撮影した回数を著作物撮影計数手段７で計数し、その内容を表示手段に表示させることができる。
【００３５】
また、本発明によれば、撮影情報記憶手段に記憶された撮影物の消去時、著作権使用履歴記憶手段内の対応する履歴情報を削除することができる。このようにすれば、撮影情報記憶手段５に記憶された撮影物の消去を行なう場合に、著作権使用履歴記憶手段９内の対応する履歴情報を削除することで、撮影情報記憶手段５と著作権使用履歴記憶手段９の内容の対応をとることができる。
【００３６】
また、本発明によれば、携帯通信装置１００が通信手段１１を介してネットワーク３０と接続されている時に、電話番号と共に著作権使用履歴情報を使用料精算センター４０に送信し、使用料精算センター４０は携帯通信装置１００から送信された著作権使用履歴情報を受信し、その情報から著作権使用料計算手段４２により著作権使用料を計算し、著作権使用料精算手段４３により携帯通信装置１００の通信契約のアカウントに対応して著作権使用料をチャージすることができる。このようにすれば、著作権使用履歴情報を使用料精算センター４０に送信することで、著作権使用料計算手段４２により計算された使用料を通信契約のアカウントに対応して著作権使用料をチャージすることができる。
【図面の簡単な説明】
【００３７】
【図１】本発明の一実施の形態例を示すフローチャートである。
【図２】携帯通信装置の一実施の形態例を示すブロック図である。
【図３】本発明システムの一実施の形態例を示すブロック図である。
【図４】撮影時の著作物使用記憶を示すフローチャートである。
【図５】著作権使用履歴の送信処理を示すフローチャートである。
【図６】著作権情報確認処理を示すフローチャートである。
【図７】使用料精算センターでの著作権使用料の精算処理を示すフローチャートである。
【図８】著作物のＩＣタグ情報の第１の例を示す図である。
【図９】著作権使用履歴情報の第１の例を示す図である。
【図１０】著作物のＩＣタグ情報の第２の例を示す図である。
【図１１】著作権使用履歴情報の第２の例を示す図である。
【符号の説明】
【００３８】
１  撮影起動手段
２  ＩＣタグ読取起動手段
３  撮影手段
４  ＩＣタグ読取手段
５  撮影情報記憶手段
６  ＩＣタグ情報分析手段
７  著作物撮影計数手段
８  著作物記憶数表示手段
９  著作権使用履歴記憶手段
１０  著作権警告表示手段
１１  通信手段
２０  本
２１  ＩＣタグ
３０  ネットワーク
【図１】
2005310033.tif 000003
【図２】
2005310033.tif 000004
【図３】
2005310033.tif 000005
【図４】
2005310033.tif 000006
【図５】
2005310033.tif 000007
【図６】
2005310033.tif 000008
【図７】
2005310033.tif 000009
【図８】
2005310033.tif 000010
【図９】
2005310033.tif 000011
【図１０】
2005310033.tif 000012
【図１１】
2005310033.tif 000013